(57)【要約】【課題】ペン先の方向を直ちに知ることができるとともに、本体軸を握持したときに安定感がありぶれが少ないマーキングペンを提供する。【解決手段】本体軸１の断面を台形状に形成するとともに、ペン先２のフェルト部３における筆記面４の長手方向と、本体軸１の断面における台形の上下方向とを整合させる。【選択図】    図８
2009137271.tif 000002
【特許請求の範囲】
【請求項１】
本体軸の断面を、台形状に形成するとともに、ペン先のフェルト部における筆記面の長手方向と、本体軸の断面における台形の上下方向とを整合させたことを特徴とするマーキングペン。
【請求項２】
ペン先のフェルト部の筆記面における剣先から顎に至る方向を、本体軸の断面における逆立台形の上辺から下辺に至る方向と整合させた請求項１記載のマーキングペン。
【請求項３】
ペン先のフェルト部の筆記面における剣先の位置と整合させて、本体軸上にペン先方向表示を設けた請求項１または２記載のマーキングペン。
【請求項４】
ペン先方向表示を、本体軸に軸方向に直線表示、または直線状に列表示することにより形成した請求項３記載のマーキングペン。
【請求項５】
キャップを取り外して、本体軸の他端側にキャップを被冠させたときに、キャップにおけるクリップの位置が、ペン先のフェルト部の筆記面における剣先の位置と整合するようにした請求項１〜４のいずれかに記載のマーキングペン。
【請求項６】
本体軸の断面の台形状を、台形の角部を丸味を帯びたものとした請求項１〜５のいずれかに記載のマーキングペン。
【請求項７】
本体軸の断面の台形状を、台形の四辺を外側向きに凸状の曲線とした請求項６記載のマーキングペン。
【請求項８】
本体軸の断面の台形状を、逆立台形の上辺を緩やかな曲線とするとともに、左右の二等辺と底辺の三辺を一体として下向きに凸状の放物線状の曲線とした請求項７記載のマーキングペン。
【請求項９】
本体軸の断面の台形状を左右線対称とした請求項１〜８のいずれかに記載のマーキングペン。
【発明の詳細な説明】
【技術分野】
【０００１】
本発明は、フェルトペン、サインペン等のマーキングペンに関する。
【背景技術】
【０００２】
一般に筆記具の市場は、パソコン等の台頭により微減していく傾向がみられる。一方、マーキングペンは印刷物等へのマーキング用として、二次的筆記のニーズは、むしろ増加の傾向にある。
【０００３】
しかし、従来のマーキングペンの製品は、本体軸の断面が円形であり、使用の際には、その都度、キャップを取り外した後に、ペン先を視認して、ペン先の方向を確認しなければ、使用することができないという不便がある。
【０００４】
また、本体軸の断面が円形の場合は、使用中に、本体軸がぶれ易いという問題があり、さらにキャップを取り外した状態で机上などに置いた場合には、転がり易い。
【０００５】
これに対して、本体軸の断面を四角柱状もしくは三角柱状に形成したものが公知である（特許文献１）。
【０００６】
しかし、本体軸を単に四角柱状もしくは三角柱状に形成したのでは、転がりにくいという長所は有するものの、使用の際には、キャップを取り外した後に、ペン先の方向を確認しなければならず、また本体軸を握持したときの安定感に欠けるという問題がある。
【特許文献１】実開昭５９−１９０５８６号公報
【発明の開示】
【発明が解決しようとする課題】
【０００７】
本発明は、前記の現状に鑑み、ペン先の方向が明瞭であり、使用の際に、キャップを取り外した後に、ペン先を視認して、ペン先の方向を確認するという手数を要することなく直ちにペン先の方向を知ることができるとともに、本体軸を握持したときの安定感が良好でぶれが少なく、かつ机上などに置いても転がりにくいマーキングペンを提供することを目的とする。
【課題を解決するための手段】
【０００８】
本発明によると、上記課題は、特許請求の範囲における各請求項に示すように、下記の構成を備える発明によって解決される。
【０００９】
(１)  本体軸の断面を、台形状に形成するとともに、ペン先のフェルト部における筆記面の長手方向と、本体軸の断面における台形の上下方向とを整合させたマーキングペンとする。 
【００１０】
（２）  上記（１）項において、ペン先のフェルト部の筆記面における剣先から顎に至る方向を、本体軸の断面における逆立台形の上辺から下辺に至る方向と整合させる。
【００１１】
（３）  上記（１）項または（２）項において、ペン先のフェルト部の筆記面における剣先の位置と整合させて、本体軸上にペン先方向表示を設ける。
【００１２】
（４）  上記（３）項において、ペン先方向表示を本体軸に軸方向に直線表示、または直接状に列表示することにより形成する。
【００１３】
（５）  上記（１）項〜（４）項のいずれかにおいて、キャップを取り外して、本体軸の他端側にキャップを被冠させたときに、キャップにおけるクリップの位置が、ペン先のフェルト部の筆記面における剣先の位置と整合するようにする。
【００１４】
（６）  上記（１）項〜（５）項のいずれかにおいて、本体軸の断面の台形状を、台形の角部を丸味を帯びたものとする。
【００１５】
（７）  上記（６）項において、本体軸の断面の台形状を、台形の四辺を外側向きに凸状の曲線とする。
【００１６】
（８）  上記（７）項において、本体軸の断面の台形状を、逆立台形の上辺を緩やかな曲線とするとともに、左右の二等辺と底辺の三辺を一体として下向きに凸状の放物線状の曲線とする。
【００１７】
（９）  上記（８）項において、本体軸の断面の台形状を左右線対称とする。
【発明の効果】
【００１８】
本発明によると、次のような効果が奏せられる。
請求項１記載の発明によれば、本体軸の断面を、台形状に形成するとともに、ペン先のフェルト部における筆記面の長手方向と、本体軸の断面における台形の上下方向とを整合させてあるため、使用の際に、キャップを取り外した後に、ペン先を視認して、ペン先の方向を確認するという手数を要することなく、本体軸の台形の方向により、ペン先の方向を直ちに知ることができる。このため、必要に応じて、直ちに握持して使用に供することができる。
また、握持している状態では常にペン先の方向が一定であるので、たとえば授業等で筆記面から目線を外して再度筆記する際にも、ペン先の方向を確認することなく、直ちに筆記することができる。
また、本体軸の断面が台形状となっているため、本体軸を握持したときの本体軸と、親指、人指し指、中指の接触面積が大きく安定感が良好で筆記線等のぶれが少なく、かつ机上などに置いても転がりにくい。
【００１９】
請求項２記載の発明によれば、使用の際には、必然的に本体軸を、その断面における逆立台形の下辺（短辺）が手元に位置する状態で握持することとなるため、握持時の安定感が一層良好となり、ぶれが可及的に防止される。
【００２０】
請求項３記載の発明によれば、ペン先のフェルト部の筆記面における剣先の位置と整合させて、本体軸上にペン先方向表示を設けてあるため、本体軸状のペン先方向表示により、ペン先の方向を一層明瞭に把握することができ、使用の際に、キャップを取り外した後に、ペン先の方向を確認するという手数を要しない。
【００２１】
請求項４記載の発明によれば、本体軸のどの位置を握持しても、ペン先方向表示の視認が容易である。
【００２２】
請求項５記載の発明によれば、本体軸にペン先方向表示が設けられていない場合にも、キャップにおけるクリップがペン先方向表示と同様な機能を有し、容易にペン先の方向を把握することができる。
【００２３】
請求項６記載の発明によれば、本体軸を握持したときに、角部が丸味を帯びているため、指に優しく当接し、強く握持しても痛み等を感ずることがない。
【００２４】
請求項７記載の発明によれば、角部が丸味を帯びていることと相俟って、本体軸を安定的に握持することができる。
【００２５】
請求項８記載の発明によれば、指に優しく、かつ本体軸を位置安定性を良好にして握持することができ、長時間使用しても疲労感が少ない。
【００２６】
請求項９記載の発明によれば、本マーキングペンの製造工程上において、左右を区別する必要がなく、取扱いが容易である。
【発明を実施するための最良の形態】
【００２７】
以下、本発明を図面に基づいて説明する。
図１は、本発明を適用した、太芯と細芯の２個のペン先を有するツインタイプのマーキングペンの正面図、図２は、同じく平面図、図３は、太芯側のペン先のキャップを取り外して使用状態としたときの正面図、図４は、太芯、細芯の両ペン先のキャップを取り外したときの平面図、図５は、図１におけるＶ〜Ｖ線断面図、図６は、図１に示すマーキングペンの左側面図、図７は、図１に示すマーキングペンの右側面図、図８は、図３に示すマーキングペンの左側面図である。
【００２８】
本発明のマーキングペンは、図５、図８に示すように、本体軸１の断面が台形状に形成されているとともに、図８に示すように、太芯側のペン先２のフェルト部３における筆記面４の長手方向と、本体軸１の断面における台形の上下方向とが整合するようにしてある。すなわち、本実施例においては、ペン先２のフェルト部３の筆記面４における剣先５から顎６に至る方向を、本体軸１の断面における逆立台形の上辺（長辺）７から下辺（短辺）８に至る方向と整合させてある。
【００２９】
これにより、使用の際に、キャップ９を取り外した後に、ペン先２を視認して、ペン先２の方向を確認するという手数を要することなく、本体軸１の台形の方向により、ペン先２の方向を直ちに知ることができる。
【００３０】
また、図３に示すように、キャップ９を取り外して、本体軸１の他端側、すなわち細芯側のペン先１０の小キャップ１１における天冠１１ａ（図１参照）にキャップ９を被冠させたときに、キャップ９におけるクリップ１２の位置が、太芯側のペン先２のフェルト部３の筆記面４における剣先５の位置と整合するようにしてある。
【００３１】
これにより、キャップ９のクリップ１２の位置が、ペン先方向表示として機能し、容易に太芯側のペン先２の方向を把握することができる。
【００３２】
キャップ９におけるクリップ１２の位置を、前記のようにするために、キャップ９を被冠する本体軸１における先軸１３（図３参照）の断面を台形状（図８参照）にするとともに、この先軸１３と嵌合するキャップ９の内部空孔（図示省略）の断面を、先軸１３の断面とほぼ同じ大きさ、またはやや大きい台形状とし、かつ使用時にキャップ９を被冠する、小キャップ１１における天冠１１ａの断面を、本体軸１の台形状と同軸の台形状とするとともに、前記先軸１３の断面とほぼ同じ大きさの台形状に形成してある。
【００３３】
先軸１３には、キャップ９を被冠したときに、固定するための係止リブ１３ａが設けられている。
【００３４】
さらに、本体軸１、キャップ９のクリップ１２および細芯側のペン先１０の小キャップ１１には、図２に示すように、太芯側のペン先２の筆記面４における剣先５の位置と整合させて、軸方向に一本の直線表示１４が施されてペン先方向表示が形成されている。
【００３５】
このペン先方向表示によって、ペン先の方向が一層把握し易いようになっている。特に、この直線表示１４を、クリップ１２、本体軸１、小キャップ１１に亘って連続する、たとえば赤色ラインなどの目立つ色とすることにより、ペン先の方向が一目瞭然であるとともに、キャップ９を、先軸１３や小キャップ１１の天冠１１ａに被冠するときの位置ガイドとなり、かつデザインとしても人目を惹くものとなる。
【００３６】
ペン先方向表示は、直線表示に限らず、その他、たとえば直線状に列表示したものであってもよい。
【００３７】
なお、細芯側のペン先１０における筆記面は小円状となっている。
【００３８】
図９〜図１４は、本発明の第２実施例を示し、図９は、本発明を適用した、１個のペン先のみを有するシングルタイプのマーキングペンの正面図、図１０は、同じく平面図、図１１は、ペン先のキャップを取外して使用状態としたときの正面図、図１２は、図９におけるＸII〜ＸII線断面図、図１３は、図９に示すマーキングペンの右側面図、図１４は、図１１に示すマーキングペンの左側面図である。
【００３９】
本実施例におけるマーキングペンも、図１２、図１４に示すように、本体軸２１の断面が台形状に形成されているとともに、図１４に示すように、ペン先２２のフェルト部２３における筆記面２４の長手方向と、本体軸２１の断面における台形の上下方向とが整合するようにしてある。しかし、第１実施例の場合と異なり、本実施例においては、ペン先２２のフェルト部２３の筆記面２４における剣先２５から顎２６に至る方向を、本体軸２１の断面における正立台形の上辺２７から下辺２８に至る方向と整合させてある。
【００４０】
これにより、第１実施例の場合と同様に、キャップ２９を取り外した後に、ペン先２２を視認して、ペン先２２の方向を確認するという手数を要することなく、本体軸２１の台形の方向により、ペン先２２の方向を直ちに知ることができる。
【００４１】
また、図１１に示すように、キャップ２９を取り外して本体軸２１の他端の天冠２１ａ(図９参照)にキャップ２９を被冠させたときに、キャップ２９におけるクリップ３０の位置が、ペン先２２のフェルト部２３の筆記面２４における剣先２５の位置と整合するようにしてある。
【００４２】
これにより、実施例１の場合と同様に、キャップ２９のクリップ３０の位置が、ペン先方向表示として機能し、容易にペン先２２の方向を把握することができる。
【００４３】
キャップ２９におけるクリップ３０の位置を、前記のようにするために、キャップ２９を被冠する、本体軸２１における先軸３１（図１１参照）の断面を台形状（図１４参照）にするとともに、この先軸３１と嵌合するキャップ２９の内部空孔（図示省略）の断面を、先軸３１の断面とほぼ同じ大きさ、またはやや大きい台形状とし、かつ使用時にキャップ２９を被冠する本体軸２１の天冠２１ａの断面を、本体軸２１の台形状と同軸の台形状（図１３参照）とするとともに、前記先軸３１の断面とほぼ同じ大きさの台形状に形成してある。
先軸３１には、キャップ２９を被冠したときに、固定するための係止リブ３１ａが設けられている。
【００４４】
図１５は、図１に示すツインタイプのマーキングペンをケース３２に収容したときの状態を示す概念図、図１６は、従来の本体軸が円状のマーキングペンをケース３３に収容したときの状態を示す概念図である。
【００４５】
本発明のマーキングペンは、本体軸の断面が台形状であるため、天地を逆にして交互に並べてケース３２内に収容することにより、従来の本体軸が、前記台形の底辺と同じ直径を有する円状のマーキングペンをケース３３内に収容した場合に比較して、ケースの幅を小さくする（Ｌ１＜Ｌ２）ことができる。
【００４６】
図１７〜図２４は、本発明の第３実施例を示し、それぞれ図１〜図８に相当する図面である。
【００４７】
本実施例におけるマーキングペンも、図２１〜図２４に示すように、本体軸３４の断面が基本的には台形状をなしているが、次のような特徴を有している。すなわち、まず台形の角部３６が丸味を帯びるとともに、台形の四辺が外側向きの凸状の曲線となっている。具体的には、逆立台形の上辺３５が、緩やかな外側向きに凸状の弧状の曲線をなしているとともに、その左右の角部３６、３６は丸味を帯びている。
【００４８】
さらに、逆立台形の左右の二等辺３７、３７と底辺３８との三辺が一体となり、下向きに凸状の放物線状の曲線となっており、左右線対称の逆立台形状をなしている。
【００４９】
本体軸３４の両端は、図２０に示すように段部３４ａ、３４ｂをもって縮径され、太芯３９と細芯４０が設けられている。
【００５０】
この両端には、図１７に示すように、それぞれ大キャップ４１、小キャップ４２が被冠されている。
【００５１】
これら両キャップ４１、４２も、図２２、図２３に示すように、その外形が本体軸３４とほぼ同一の形状の逆立台形状をなしている。
【００５２】
図１９、図２４に示すように、太芯３９側のペン先のフェルト部４３における筆記面４４の長手方向と、本体軸３４の断面における台形の上下方向とが整合するようにしてある。すなわち、ペン先のフェルト部４３の筆記面４４における剣先４５から顎４６に至る方向を、本体軸３４の断面における逆立台形の上辺（長辺）３５から下辺（短辺）３８に至る方向と整合させてある。
【００５３】
図１９に示すように、大キャップ４１を取り外して、小キャップ４２における天冠４２ａ（図１７参照）に被冠させたときに、大キャップ４１におけるクリップ４７の位置が、ペン先方向表示として機能し、容易に太芯３９におけるペン先の方向を把握することができるようになっている。
【００５４】
図１８、図２０に示すように、本体軸３４、大キャップ４１、小キャップ４２には、太芯３９のフェルト部４３の筆記面４４における剣先４５の位置と整合させて、軸方向に多数の円が直線状に列表示されて、ペン先方向表示４８がなされている。
【００５５】
このペン先方向表示４８によって、本体軸３４のどの位置を握持しても、太芯３９の筆記面４４における剣先４５の方向を容易に把握することができる。
図２５、図２６は、ペン先方向表示のさらに他の実施形態を示す図面であり、それぞれ図１８、図２０に相当する図面である。
図２５に示すように、比較的短い複数の直線を所望間隔で直線状に列表示したペン先方向表示４９や、図２６に示すように、短い直線と長い直線を組合わせて直線状に列表示したペン先方向表示５０など、任意のペン先方向表示を適宜採用することができる。
【図面の簡単な説明】
【００５６】
【図１】本発明を適用した、太芯と細芯の２個のペン先を有するツインタイプのマーキングペンの正面図である。
【図２】同じく、ツインタイプのマーキングペンの平面図である。
【図３】太芯側のペン先のキャップを取り外して使用状態としたときの正面図である。
【図４】太芯、細芯の両ペン先のキャップを取り外したときの平面図である。
【図５】図１におけるＶ〜Ｖ線断面図である。
【図６】図１に示すマーキングペンの左側面図である。
【図７】同じく、図１に示すマーキングペンの右側面図である。
【図８】図３に示すマーキングペンの左側面図である。
【図９】本発明を適用した、１個のペン先のみを有するシングルタイプのマーキングペンの正面図である。
【図１０】同じく、シングルタイプのマーキングペンの平面図である。
【図１１】キャップを取り外して使用状態としたときの正面図である。
【図１２】図９におけるＸII〜ＸII線断面図である。
【図１３】図９に示すマーキングペンの右側面図である。
【図１４】図１１に示すマーキングペンの左側面図である。
【図１５】図１に示すツインタイプのマーキングペンをケースに収容したときの状態を示す概念図である。
【図１６】従来の本体軸が円状のマーキングペンをケースに収納したときの状態を示す概念図である。
【図１７】本発明を適用した他の実施形態のマーキングペンの正面図である。
【図１８】同じく、マーキングペンの平面図である。
【図１９】太芯側のペン先のキャップを取り外して使用状態としたときの正面図である。
【図２０】太芯、細芯の両ペン先のキャップを取り外したときの平面図である。
【図２１】図１７におけるXXI〜XXI線断面図である。
【図２２】図１７に示すマーキングペンの左側面図である。
【図２３】同じく、図１７に示すマーキングペンの右側面図である。
【図２４】図１９に示すマーキングペンの左側面図である。
【図２５】ペン先方向表示の他の実施形態を示し、図１８に相当する図面である。
【図２６】ペン先方向表示のさらに他の実施形態を示し、図２０に相当する図面である。
【符号の説明】
【００５７】
１      本体軸
２      太芯側のペン先
３      フェルト部
４      筆記面
５      剣先
６      顎
７      逆立台形の上辺
８      逆立台形の下辺
９      キャップ
１０    細芯側のペン先
１１    小キャップ
１１ａ  天冠
１２    クリップ
１３    先軸
１３ａ  係止リブ
１４    直線表示（ペン先方向表示）
２１    本体軸
２１ａ  天冠
２２    ペン先
２３    フェルト部
２４    筆記面
２５    剣先
２６    顎
２７    上辺
２８    下辺
２９    キャップ
３０    クリップ
３１    先軸
３１ａ  係止リブ
３２、３３    ケース
３４    本体軸
３４ａ、３４ｂ    段部
３５    上辺
３６    角部
３７    左右の２等辺
３８    底辺
３９    太芯
４０    細芯
４１    大キャップ
４２    小キャップ
４２ａ  天冠
４３    フェルト部
４４    筆記面
４５    剣先
４６    顎
４７    クリップ
４８、４９、５０    ペン先方向表示
【図１】
2009137271.tif 000003
【図２】
2009137271.tif 000004
【図３】
2009137271.tif 000005
【図４】
2009137271.tif 000006
【図５】
2009137271.tif 000007
【図６】
2009137271.tif 000008
【図７】
2009137271.tif 000009
【図８】
2009137271.tif 000010
【図９】
2009137271.tif 000011
【図１０】
2009137271.tif 000012
【図１１】
2009137271.tif 000013
【図１２】
2009137271.tif 000014
【図１３】
2009137271.tif 000015
【図１４】
2009137271.tif 000016
【図１５】
2009137271.tif 000017
【図１６】
2009137271.tif 000018
【図１７】
2009137271.tif 000019
【図１８】
2009137271.tif 000020
【図１９】
2009137271.tif 000021
【図２０】
2009137271.tif 000022
【図２１】
2009137271.tif 000023
【図２２】
2009137271.tif 000024
【図２３】
2009137271.tif 000025
【図２４】
2009137271.tif 000026
【図２５】
2009137271.tif 000027
【図２６】
2009137271.tif 000028